(57)【要約】      （修正有）【課題】縦横のアスペクト比が異なる表示画面が縦横相互に切り替えられた際に、表示される映像データが常に看者が見やすい画面に切り替わるとともに、縦横アスペクト比の異なる別個の映像データを示させて興趣効果を高めることのできる映像選択再生システムを提供する。【解決手段】縦横のアスペクト比が異なる表示画面を有する映像表示装置に映像を表示する映像選択再生システム１が、第一映像再生手段１０と、第二映像再生手段２０と、音声再生手段３０と、第一映像再生手段１０または第二映像再生手段２０の何れかから送信された再生映像データを表示する表示画面４０と、再生映像データの表示の選択を行う映像選択手段５０と、からなり、映像選択手段５０がユーザから別の映像を選択する映像選択信号を受信すると、選択された再生映像データを表示されている再生映像データに替えて表示画面に表示する構成である。【選択図】図１
2017015841.tif 000002
【特許請求の範囲】
【請求項１】
映像表示装置に縦横のアスペクト比が異なる映像を表示する映像選択再生システムが、
横のアスペクト比が大きい左右方向に横長の第一映像データの再生を行う第一映像再生手段と、縦のアスペクト比の大きい上下方向に縦長の第二映像データの再生を行う第二映像再生手段と、前記各映像データに付随する音声データを再生する音声再生手段と、前記第一映像再生手段または前記第二映像再生手段の何れかから送信された映像データを表示する表示画面と、前記第一映像再生手段および前記第二映像再生手段から送信される映像データの前記表示画面への表示の選択を行う映像選択手段と、からなり、
前記第一映像再生手段および前記第二映像再生手段は同時に夫々の映像を再生するとともに、前記映像選択手段は前記第一映像再生手段または前記第二映像再生手段から送信される何れかの映像データを選択して前記表示画面に送信することにより前記表示画面に表示するとともに、
前記映像選択手段がユーザから別の映像データを選択する映像選択信号を受信すると、前記第一映像再生手段または前記第二映像再生手段から送信される選択された再生映像データを表示されている再生映像データに替えて新たに受信した映像データを前記表示画面に送信し画面に表示することを特徴とする映像選択再生システム。
【請求項２】
前記映像表示装置は、スマートフォンまたは携帯型ゲーム機またはタブレット型携帯端末からなることを特徴とする請求項１記載の映像選択再生システム。
【請求項３】
前記映像選択手段は、スマートフォンまたは携帯型ゲーム機またはタブレット型携帯端末の角度を検知する角度計測センサーからなるとともに、前記映像選択信号は前記角度計測センサーによるスマートフォン本体または携帯型ゲーム機本体またはタブレット型携帯端末本体の設置角度の変化を示す信号からなり、
前記映像選択手段がスマートフォンまたは携帯型ゲーム機またはタブレット型携帯端末が横向きであること示す映像選択信号を検知した場合には、第一映像再生手段が再生する再生映像データを選択して前記表示画面に送信・表示するとともに、前記映像選択手段がスマートフォンまたは携帯型ゲーム機またはタブレット型携帯端末が縦向きであること示す映像選択信号を検知した場合には、第二映像再生手段が再生する再生映像データを選択して前記表示画面に送信・表示することを特徴とする請求項１または請求項２記載の映像選択再生システム。
【請求項４】
前記映像選択再生システムは、前記第一映像再生手段および前記第二映像再生手段の再生映像の同期をとる同期手段を装備したことを特徴とする請求項１乃至請求項３の何れかに記載の映像選択再生システム。
【発明の詳細な説明】
【技術分野】
【０００１】
本発明は、縦横のアスペクト比が異なる表示画面に映像データを表示するための映像選択再生システムに関し、特に、表示画面を縦向き用と横向き用とを相互に切り替えた際に、表示される映像データが縦横の設置方向に応じて常に看者が見やすい向きに切り替わるとともに、表示画面の縦向き時と横向き時においてそれぞれ異なるアスペクト比からなる別の映像データを表示画面に表示させることで視覚的効果を高めることを可能とした映像選択再生システムに関する。
【背景技術】
【０００２】
従来より、ゲームにストーリー性を持たせ、臨場感を高めて興趣を高める為に、ゲーム中にストーリーを反映した映像を流す技術が開発されており、映像の表示手法に工夫を凝らした様々な技術が開発され利用されている。特に、スマートフォンやタブレット端末、携帯型ゲーム機のようなポータブルタイプの機器を用いてゲームを楽しむ場合には、表示領域が小さい画面で最大限興趣効果の高い映像を流すことが要求されることから、様々な趣向を凝らした映像を表示する技術の開発が進められている。
【０００３】
例えば、ゲーム中の映像に趣向を凝らした技術として、特開２０１２−１６６１６号公報開示のものが存在する。ここでは、複数画面を有するゲーム機で操作するゲームに関し、２次元座標で位置決めされるオブジェクトのうち、特定のオブジェクトの２次元座標が所定の条件を満たすとき、各オブジェクトの２次元座標に基づいて各オブジェクトの３次元座標を計算してオブジェクトをモデリングし、所定のアニメーションで動作させた映像をゲーム画面に表示させる技術が開示されている。これにより、ユーザの動きに連動した臨場感のある映像を提供することが可能となる。
【０００４】
しかしながら、上記技術によれば、確かにゲームの興趣を高めることが可能となると考えられるが、ゲーム中の臨場感を高めるに止まり、ゲームのストーリー性を表現することは不可能であった。また、縦横のアスペクト比が異なる画面の特性を利用して、例えば、画面を回転させることにより見えなかった部分を見せるようにするというような、ゲームの興趣性を高める工夫は付加されておらず、必ずしもユーザの興趣効果が高まるとは言えないという問題点があった。
【０００５】
また、特開２００５−２０４７６２号公報では、第１と第２の表示画面からなる２画面分の表示画面を設け、一方の表示画面にはコースやアイテムや敵キャラクタとプレイヤキャラクタの全てを表示し、他方の表示画面にはコース，アイテム，敵キャラクタのうちの１つを表示する技術が開示されている。ここでは、プレイヤキャラクタが他方の表示画面に移動すると、一方の表示画面と他方の表示画面の表示種類を切換えて表示し、プレイヤキャラクタの存在しない表示画面は、表示されない別の種類のコース又はアイテム等が表示され、これによりプレイヤの好奇心を刺激できることが示唆されている。
【０００６】
しかしながら、この技術によればユーザの好奇心を刺激できることが可能となると考えられるが、２つの映像が常に表示されているため、画像を切り換えることによる発見のような興趣性を高める効果を必ずしも発揮するとは言えなかった。また、縦横のアスペクト比が異なる画面の特性を利用した効果を利用したものではなく、ユーザの興趣効果を高めるには十分とは言えなかった。
【０００７】
そこで、縦横のアスペクト比が異なる別個の映像データを表示し、縦横の表示を変更することにより、一方の画面では認識し得なかった情報を画像を切り換えることにより可視化して、興趣効果を高める映像選択再生システムの開発が望まれていた。
【特許文献１】特開２０１２−１６６１６号公報
【特許文献２】特開２００５−２０４７６２号公報
【発明の開示】
【発明が解決しようとする課題】
【０００８】
本発明は、縦横のアスペクト比が異なる表示画面に映像データを表示するためのシステムであって、特に、表示画面が縦向きまたは横向き相互に切り替えられた際に、表示される映像データが置き方（縦横向き）に応じて常に看者が見やすい画面に切り替わるとともに、縦横アスペクト比の異なる別個の映像データを表示画面に表示させて興趣効果を高めることのできる映像選択再生システムを提供することを目的とする。
【課題を解決するための手段】
【０００９】
上記の目的を達成するために本発明に係る映像選択再生システムは、映像表示装置に縦横のアスペクト比が異なる映像を表示する映像選択再生システムが、横のアスペクト比が大きい左右方向に横長の第一映像データの再生を行う第一映像再生手段と、縦のアスペクト比の大きい上下方向に縦長の第二映像データの再生を行う第二映像再生手段と、前記各映像データに付随する音声データを再生する音声再生手段と、前記第一映像再生手段または前記第二映像再生手段の何れかから送信された映像データを表示する表示画面と、前記第一映像再生手段および前記第二映像再生手段から送信される映像データの前記表示画面への表示の選択を行う映像選択手段と、からなり、前記第一映像再生手段および前記第二映像再生手段は同時に夫々の映像を再生するとともに、前記映像選択手段は前記第一映像再生手段または前記第二映像再生手段から送信される何れかの映像データを選択して前記表示画面に送信することにより前記表示画面に表示するとともに、前記映像選択手段がユーザから別の映像データを選択する映像選択信号を受信すると、前記第一映像再生手段または前記第二映像再生手段から送信される選択された再生映像データを表示されている再生映像データに替えて新たに受信した映像データを前記表示画面に送信し画面に表示する構成である。
【００１０】
また、前記映像表示装置は、スマートフォンまたは携帯型ゲーム機またはタブレット型携帯端末からなる構成である。
【００１１】
また、前記映像選択手段は、スマートフォンまたは携帯型ゲーム機またはタブレット型携帯端末の角度を検知する角度計測センサーからなるとともに、前記映像選択信号は前記角度計測センサーによるスマートフォン本体または携帯型ゲーム機本体またはタブレット型携帯端末本体の設置角度の変化を示す信号からなり、前記映像選択手段がスマートフォンまたは携帯型ゲーム機またはタブレット型携帯端末が横向きであること示す映像選択信号を検知した場合には、第一映像再生手段が再生する再生映像データを選択して前記表示画面に送信・表示す  るとともに、前記映像選択手段がスマートフォンまたは携帯型ゲーム機またはタブレット型携帯端末が縦向きであること示す映像選択信号を検知した場合には、第二映像再生手段が再生する再生映像データを選択して前記表示画面に送信・表示する構成である。
【００１２】
更に、前記映像選択再生システムは、前記第一映像再生手段および前記第二映像再生手段の再生映像の同期をとる同期手段を装備した構成でもある。
【発明の効果】
【００１３】
本発明は、上記詳述した通りの構成であるので、以下のような効果がある。
１．第一映像再生手段と第二映像再生手段を設けたため、２種類の縦横アスペクト比の異なる映像を選択的に再生することができる。また、映像選択手段が第一映像再生手段と第二映像再生手段の何れが再生される映像であるかを適宜に検知選択し、任意のタイミングで映像を素早く切り替えることが可能となる。
２．映像表示装置をスマートフォンまたは携帯型ゲーム機またはタブレット型携帯端末としたため、コンパクトかつ縦横のアスペクト比が異なる表示画面に映像を表示することができる。
【００１４】
３．映像選択手段を、角度を検知する角度計測センサーとしたため、映像表示装置の設置角度が変更されることにより画像選択信号を自動的に発生させることが可能となり、第一映像再生手段と第二映像再生手段の何れかが送信する映像を選択して表示画面に表示することができる。
４．映像選択再生システムに同期手段を設置したため、第一映像再生手段と第二映像再生手段がそれぞれ再生する映像の同期をとることが可能となり、タスクの実行の遅延等を原因とする再生映像のずれを防止することが可能となる。
【発明を実施するための最良の形態】
【００１５】
以下、本発明に係る映像選択再生システムを、図面に示す実施例に基づいて詳細に説明する。図１は、本発明に係る映像選択再生システムの概略図であり、図２は、映像表示装置に映像選択再生システムを組み込んだ状態の概略図である。図３ａは、横長画面の時の映像選択再生システムの実施例を示す図であり、図３ｂは、縦長画面の時の映像選択再生システムの実施例を示す図である。
【００１６】
本発明に係る映像選択再生システム１は、図１に示すように、第一映像再生手段１０と、第二映像再生手段２０と、音声再生手段３０と、表示画面４０と、映像選択手段５０と、からなり、表示画面４０を有する映像表示装置１００の設置角度の変化に応じて再生する映像データを適宜選択して表示することで、ストーリー性を持たせたゲームのユーザが時機に即応して画面の端面付近を探索して興趣効果を高めるために用いられる。
【００１７】
映像選択再生システム１を搭載する映像表示装置１００は表示画面４０を有しており、該表示画面４０は縦横のアスペクト比が異なる構成となっており、映像選択再生システム１は、前記映像表示装置１００の表示画面４０に再生映像データを表示させる構成である。また、映像表示装置１００は、記憶手段６０を搭載しており、演算装置（図示せず）等が記憶手段６０に記憶されている各種データを呼び出して処理する構成となっている。なお、再生映像データとはここでは第一映像データ１２または第二映像データ２２のうち、後述の映像選択手段５０によって選択された映像データを指す。
【００１８】
映像表示装置１００は、本実施例では、スマートフォン１１０ａや携帯型ゲーム機１１０ｂやタブレット型携帯端末１１０ｃからなる構成となっているが、これに限定されることはなく、縦横のアスペクト比が異なる表示画面を有する機器を適宜選択して使用することが可能である。
【００１９】
第一映像再生手段１０は、第一映像データ１２を再生するための手段である。第一映像データ１２は、図３ａに示すように、左右方向に拡幅した横長の長方形の表示領域に対応したサイズからなる映像データであり、図１に示すように、第一映像再生手段１０が第一映像データ１２を読み取って再生映像データとして表示画面４０で表示されるように出力する。
【００２０】
第二映像再生手段２０は、第二映像データ２２を再生するための手段である。第二映像データ２２は、図３ｂに示すように、上下方向に拡幅した縦長からなる長方形の表示領域に対応したサイズからなる映像データであり、図１に示すように、第二映像再生手段２０が第二映像データ２２を読み取って再生映像データとして表示画面４０で表示されるように出力する。
【００２１】
本実施例では、第一映像データ１２および第二映像データ２２はＭＰＥＧ４やＭｏｔｉｏｎ  Ｊｐｅｇ等からなり、第一映像再生手段１０および第二映像再生手段２０はＭＰＥＧ４やＭｏｔｉｏｎ  Ｊｐｅｇ等のファイルを再生可能なソフトウェア（モジュール）によって構成されている。また、各ファイルは各々記憶手段６０に保存されており、映像表示装置１００の演算装置（図示せず）によって呼び出されて再生処理が行われる構成となっているが、この構成に限定されることはなく、第一映像データ１２および第二映像データ２２は他のデータ形式でもよいし、第一映像再生手段１０および第二映像再生手段２０による第一映像データ１２および第二映像データ２２の再生は独立したアプリケーションまたは独立した装置であってもよい。
【００２２】
音声再生手段３０は、第一映像データ１２および第二映像データ２２に付随する音声データを再生するための手段であり、本実施例では、図１に示すように、記憶手段６０に記憶された音声データ（図示せず）を呼び出して再生する構成となっている。
【００２３】
音声データは、本実施例では、第一映像データ１２および第二映像データ２２とは別ファイルとして管理されており、第一映像データ１２または第二映像データ２２が再生される際に、同時に音声再生手段３０が稼働して音声データが再生される構成となっている。なお、この構成に限られず、第一映像データ１２および第二映像データ２２の夫々の音声データをその映像データの再生と同時に音声再生手段３０が再生する構成としてもよい。
【００２４】
表示画面４０は、第一映像再生手段１０または第二映像再生手段２０の何れかから送信された再生映像データを表示するための出力装置であり、図２に示すように、縦横比が異なるスマートフォン等の表示画面からなる構成である。表示画面４０は、本実施例では、映像表示装置１００に組み込まれた液晶画面となっているが、この構成に限定されることはなく、機器に対して追加的に接続した専用の映像表示用の画面であってもよい。
【００２５】
映像選択手段５０は、第一映像再生手段１０および第二映像再生手段２０から表示画面４０へ向けて送信された２つの映像データを表示画面４０に先立って受信し、一定の条件において、何れか一つの映像データを選択して表示画面４０に送信するための装置である。第一映像再生手段１０および第二映像再生手段２０は、図１に示すように、それぞれ第一映像データ１２および第二映像データ２２を記憶手段６０から読み込んで映像選択手段５０に受け渡す。その後、映像選択手段５０が何れの映像データを表示画面に表示するかを選択して、再生映像データとして表示画面４０に送信して、表示画面が再生映像データを表示する仕組みとなっている。
【００２６】
本発明に係る映像選択再生システム１の動作を具体的に説明すると、まず、第一映像再生手段１０および第二映像再生手段２０が表示画面４０に表示されるか否かに拘わらず、同時に夫々の映像の再生を開始し、第一映像データ１２および第二映像データ２２を映像選択手段５０に送信する。映像データを受信した映像選択手段５０は、後述する条件において第一映像データ１２および第二映像データ２２を選択し、表示画面４０に選択した再生映像データを送信する。再生映像データを受け取った表示画面４０は再生映像データを画面に表示する。
【００２７】
映像選択手段５０は、映像選択信号２００を受信することにより、第一映像データ１２および第二映像データ２２の何れを再生映像データとして表示画面４０に送信するかを選択する構成である。映像選択信号２００は、ユーザによる特定の操作により発信される信号データであり、図２に示すように、映像選択手段５０が映像選択信号２００を受信すると、第一映像再生手段１０または第二映像再生手段２０から送信される映像データの何れかを選択して再生映像データとし、再生映像データが既に表示されている場合には表示されている再生映像データに替えて、信号データの指示に沿って表示画面４０に送信することによって表示画面４０に再生映像データを表示する。
【００２８】
映像選択手段５０は、スマートフォン１１０ａまたは携帯型ゲーム機１１０ｂまたはタブレット型携帯端末１１０ｃ等からなる映像表示装置１００に搭載される、自機の角度の変化を検知する角度計測センサー５２から発せられる信号によって映像を選択する。映像選択手段５０が受信する映像選択信号２００は、角度計測センサー５２によるスマートフォン１１０ａ本体または携帯型ゲーム機１１０ｂ本体またはタブレット型携帯端末１１０ｃ本体の設置角度の変化によってどちらかの画像を択一的に選択した結果の信号である。なお、角度計測センサー５２は、本実施例では、映像表示装置１００に搭載される加速度センサーからなり、加速度センサーから発せられる信号を映像選択信号２００として利用する構成であるが、これに限定されるものではなく、映像表示装置１００の設置角度を検出可能なセンサーであれば任意に選択して使用することが可能である。
【００２９】
具体的には、図３ａに示すように、映像選択手段５０がスマートフォン１１０ａまたは携帯型ゲーム機１１０ｂまたはタブレット型携帯端末１１０ｃ等の映像表示装置１００が横向きの角度で配置されていること示す映像選択信号２００を検知した場合には、映像選択手段５０は、第一映像データ１２が再生されるように再生映像データを選択して表示画面４０に送信・表示する。また、図３ｂに示すように、映像選択手段５０がスマートフォン１１０ａまたは携帯型ゲーム機１１０ｂまたはタブレット型携帯端末１１０ｃ等の映像表示装置１００が縦向きであること示す映像選択信号２００を検知した場合には、映像選択手段５０は、第二映像データ２２が再生されるように再生映像データを選択して表示画面４０に送信・表示する構成となっている。
【００３０】
この構成とすることにより、加速度センサー等からなる角度計測センサー５２を装備するスマートフォン１１０ａまたは携帯型ゲーム機１１０ｂまたはタブレット型携帯端末１１０ｃ等の映像表示装置１００に映像選択再生システム１を搭載することが可能となるとともに、これらの映像表示装置１００上でゲームを行う際に、映像表示装置１００の角度を縦横に変化させることにより、角度に応じた映像に切り換えて表示画面４０に表示させることが可能となる。
【００３１】
本発明の具体的な実施例としては、図３ａおよび図３ｂに示すように、スマートフォン１１０ａまたは携帯型ゲーム機１１０ｂまたはタブレット型携帯端末１１０ｃ等の映像表示装置１００用に横置き画面および縦起き画面に夫々対応した映像データ（第一映像データ１２および第二映像データ２２）を用意する。このとき、各映像データは同一の内容を表しており、画面の切り取り方が横置き画面および縦起き画面の夫々に対応した構成となっている。
【００３２】
横置き画面および縦起き画面に特化した２つの映像データを用意して、ユーザの任意のタイミングで相互に切り替えることが可能となっているため、例えば、横置き画面対応の映像データでは図３ａに示すように中心人物の左右に存在する別の登場人物を確認することができる（縦置き画面で同じ映像を見ると、左右の登場人物は確認することが出来ない）。一方で、縦置き画面対応の映像データでは図３ｂに示すように中心人物の上下に存在する物を確認することができる（横置き画面で同じ映像を見ると、中心人物の頭の上に載っているキャラクターや洋服の柄文字は確認することが出来ない）。すなわち、本発明に係る映像選択再生システム１を用いる事により、スマートフォン１１０ａまたは携帯型ゲーム機１１０ｂまたはタブレット型携帯端末１１０ｃ等の映像表示装置１００を縦横回転させながら、画面構図に収まっていない隠れたキャラクター等の要素を見ることができるため、隠された情報を探してゲームを楽しむことが可能となり、ゲームの興趣効果を高めることが可能となった。
【００３３】
図３ａに示す横置き画面に対応した映像データは、全体の映像を横長となるように切り取った映像であり、例えば映像中の登場人物が上側を見上げるようなシーンにおいて、登場人物の頭上を映す方向に移行するカメラワークを行うような映像に適した映像データである。また、図３ｂに示す縦置き画面に対応した映像データは、全体の映像を縦長となるように切り取った映像であり、例えば映像中の登場人物が横方向に移動するようなシーンにおいて、登場人物の横側面を映す方向に移行するカメラワークを行うような映像に適した映像データである。
【００３４】
なお、本実施例では、各映像データ（第一映像データ１２および第二映像データ２２）は同一の内容で表示領域が異なる映像となっているが、これに限定されることはなく、例えば同一内容であるが別角度や別視点から見た映像とすることも可能である。これにより、様々な映像効果を得ることができ、ゲームの興趣効果を高めることが可能となる。
【００３５】
映像選択再生システム１は、図１に示すように、第一映像再生手段１０および第二映像再生手段２０の再生映像の同期をとる同期手段７０を装備する構成とすることが可能である。これにより、各種タスクの実行時のエラーや遅延等により、第一映像データ１２および第二映像データ２２の映像の再生にずれが生じることを防止することが可能となる。
【図面の簡単な説明】
【００３６】
【図１】本発明に係る映像選択再生システムの概略図
【図２】映像表示装置に映像選択再生システムを組み込んだ状態の概略図
【図３ａ】横長画面の時の映像選択再生システムの実施例を示す図
【図３ｂ】縦長画面の時の映像選択再生システムの実施例を示す図
【符号の説明】
【００３７】
１    映像選択再生システム
１０    第一映像生手段
１２    第一映像データ
２０    第二映像再生手段
２２    第二映像データ
３０    音声再生手段
４０    表示画面
５０    映像選択手段
５２    角度計測センサー
６０    記憶手段
７０    同期手段
１００    映像表示装置
１１０ａ    スマートフォン
１１０ｂ    携帯型ゲーム機
１１０ｃ    タブレット型携帯端末
２００    映像選択信号
【図１】
2017015841.tif 000003
【図２】
2017015841.tif 000004
【図３ａ】
2017015841.tif 000005
【図３ｂ】
2017015841.tif 000006